【手続補正書】
【提出日】平成18年10月18日(2006.10.18)
【手続補正１】
【補正対象書類名】明細書
【補正対象項目名】特許請求の範囲
【補正方法】変更
【補正の内容】
【特許請求の範囲】
【請求項１】
管理装置と、記憶装置と、端末装置を備え、
前記記憶装置には、送信先を示す送信先情報を含む会員情報を各会員を示す会員識別情報に対応させて記憶する会員情報テーブルと、認識情報属性を示す認識情報属性情報を送信先抽出条件を示す送信先抽出条件情報に対応させて記憶する認識情報テーブルが設けられており、
前記管理装置は、入力された送信先抽出条件情報に対応する認識情報属性情報を前記認識情報テーブルから判別するとともに、当該入力された送信先抽出条件情報で示されている送信先抽出条件を満足する会員情報を有する会員の送信先情報を前記会員情報テーブルから判別し、前記判別した認識情報属性情報を有する認識情報を、入力された送信情報とともに、前記判別した送信先情報で示されている端末装置に送信し、
前記端末装置は、自己宛の送信情報及び認識情報を受信する、
ことを特徴とする情報送信装置。
【請求項２】
管理装置と、記憶装置と、端末装置を備え、
前記記憶装置には、送信先を示す送信先情報を含む会員情報を各会員を示す会員識別情報に対応させて記憶する会員情報テーブルと、送信先抽出条件を示す送信先抽出条件情報を送信情報に対応させて記憶する送信情報テーブルと、認識情報属性を示す認識情報属性情報を送信先抽出条件を示す送信先抽出条件情報に対応させて記憶する認識情報テーブルが設けられており、
前記管理装置は、送信情報を送信する場合、当該送信情報に対応する送信先抽出条件情報を前記送信情報テーブルから判別し、前記判別した送信先抽出条件情報に対応する認識情報属性情報を前記認識情報テーブルから判別するとともに、前記判別した送信先抽出条件情報で示されている送信先抽出条件を満足する会員情報を有する会員の送信先情報を前記会員情報テーブルから判別し、前記判別した認識情報属性情報を有する認識情報を、前記送信情報とともに、前記判別した送信先情報で示されている端末装置に送信し、
前記端末装置は、自己宛の送信情報及び認識情報を受信する、
ことを特徴とする情報送信装置。
【請求項３】
請求項１または２に記載の情報送信装置であって、
前記管理装置は、前記送信情報に対応する送信先抽出条件情報が前記送信情報テーブルに記憶されていない場合、あるいは、前記送信先抽出条件情報に対応する認識情報属性情報が前記認識情報テーブルに記憶されていない場合には、認識情報を送信しない、
ことを特徴とする情報送信装置。
【請求項４】
管理装置と、記憶装置と、端末装置を備え、
前記記憶装置には、送信先を示す送信先情報を含む会員情報を各会員を示す会員識別情報に対応させて記憶する会員情報テーブルと、認識情報属性を示す認識情報属性情報を送信情報のカテゴリを示すカテゴリ情報に対応させて記憶する認識情報テーブルが設けられており、
前記管理装置は、入力されたカテゴリ情報に対応する認識情報属性情報を前記認識情報テーブルから判別し、前記判別した認識情報属性情報を有する認識情報を、入力された送信情報とともに、前記会員情報テーブルに記憶されている各会員の送信先情報で示されている端末装置に送信し、
前記端末装置は、自己宛の送信情報及び認識情報を受信する、
ことを特徴とする情報送信装置。
【請求項５】
管理装置と、記憶装置と、端末装置を備え、
前記記憶装置には、送信先を示す送信先情報を含む会員情報を各会員を示す会員識別情報に対応させて記憶する会員情報テーブルと、送信情報のカテゴリを示すカテゴリ情報を送信情報に対応させて記憶する送信情報テーブルと、認識情報属性を示す認識情報属性情報をカテゴリ情報に対応させて記憶する認識情報テーブルが設けられており、
前記管理装置は、送信情報を送信する場合、当該送信情報に対応するカテゴリ情報を前記送信情報テーブルから判別し、前記判別したカテゴリ情報に対応する認識情報属性情報を前記認識情報テーブルから判別し、前記判別した認識情報属性情報を有する認識情報を、前記送信情報とともに、前記会員情報テーブルに記憶されている各会員の送信先情報で示されている端末装置に送信し、
前記端末装置は、自己宛の送信情報及び認識情報を受信する、
ことを特徴とする情報送信装置。
【請求項６】
請求項４または５に記載の情報送信装置であって、
前記管理装置は、前記送信情報に対応するカテゴリ情報が前記送信情報テーブルに記憶されていない場合、あるいは、前記カテゴリ情報に対応する認識情報属性情報が前記認識情報テーブルに記憶されていない場合には、認識情報を送信しない、
ことを特徴とする情報送信装置。
【請求項７】
請求項１〜６のいずれかに記載の情報送信装置であって、
前記記憶装置には、前記会員情報テーブルに記憶されている各会員の送信先情報で示されている端末装置が認識情報を受信可能であるか否かを示す受信可否情報が記憶されており、また、送信先抽出条件情報あるいはカテゴリ情報に対応させて前記認識情報テーブルに記憶されている認識情報属性情報を有する認識情報を保存しているＷｅｂページのアドレスを記憶するＷｅｂページテーブルが設けられており、
前記管理装置は、送信先情報で示されている端末装置に対応する受信可否情報が認識情報の受信不可を示している場合には、前記判別した認識情報属性情報を有する認識情報を保存しているＷｅｂページのアドレスを前記Ｗｅｂページテーブルから判別し、前記判別したＷｅｂページのアドレスを前記送信情報とともに送信し、
前記端末装置のうち、受信可否情報が認識情報の受信不可を示している端末装置は、自己宛の送信情報及びＷｅｂページのアドレスを受信する、
ことを特徴とする情報送信装置。
【請求項８】
請求項１〜６のいずれかに記載の情報送信装置であって、
前記管理装置は、前記判別した認識情報属性情報と前記送信先情報が会員情報に含まれている会員の会員識別情報を有する認識情報を送信する、
ことを特徴とする情報送信装置。
【請求項９】
請求項８に記載の情報送信装置であって、
前記記憶装置には、前記会員情報テーブルに記憶されている各会員の送信先情報で示されている端末装置が認識情報を受信可能であるか否かを示す受信可否情報が記憶されており、また、送信先抽出条件情報あるいはカテゴリ情報に対応させて前記認識情報テーブルに記憶されている認識情報属性情報と、受信可否情報が認識情報の受信不可を示している端末装置が送信先情報で示されている会員の会員識別情報とを有する認識情報を保存しているＷｅｂページのアドレスを記憶するＷｅｂページテーブルが設けられており、
前記管理装置は、送信先情報で示されている端末装置に対応する受信可否情報が認識情報の受信不可を示している場合には、前記判別した認識情報属性情報と前記送信先情報が会員情報に含まれている会員に対応する会員識別情報とを有する認識情報を保存しているＷｅｂページのアドレスを前記Ｗｅｂページテーブルから判別し、判別したＷｅｂページのアドレスを前記送信情報とともに送信し、
前記端末装置のうち、受信可否情報が認識情報の受信不可を示している端末装置は、自己宛の送信情報及びＷｅｂページのアドレスを受信する、
ことを特徴とする情報送信装置。
【請求項１０】
請求項１〜９のいずれかに記載の情報送信装置であって、認識情報は二次元コードにより作成されることを特徴とする情報送信装置。
【請求項１１】
請求項１〜１０のいずれかに記載の情報送信装置であって、前記管理装置は、送信情報を送信する際に認識情報を作成することを特徴とする情報送信装置。
【請求項１２】
請求項１〜１１のいずれかに記載の情報送信装置であって、認識情報属性情報として認識情報の有効期限、ポイントの値及び認識情報の上限利用回数の少なくとも１つを示す認識情報属性情報が用いられていることを特徴とする情報送信装置。
【請求項１３】
請求項１〜１１のいずれかに記載の情報送信装置であって、
前記端末装置の表示手段に表示されている認識情報を読み取り可能な認識情報読取装置を備え、
認識情報属性情報として認識情報を示す認識情報識別情報が用いられており、
前記記憶装置には、認識情報の有効性を判別するための有効性判別条件を示す有効性判別条件情報が認識情報識別情報に対応させて記憶されており、
前記管理装置は、前記認識情報読取装置で読み取った認識情報に含まれている認識情報識別情報に対応して前記記憶装置に記憶されている有効性判別条件情報で示されている有効性判別条件に基づいて、読み取った認識情報の有効性を判別する、
ことを特徴とする情報送信装置。
【手続補正２】
【補正対象書類名】明細書
【補正対象項目名】０００６
【補正方法】変更
【補正の内容】
【０００６】
【発明が解決しようとする課題】
前記課題を解決するための本発明の第１発明は、請求項1に記載されたとおりの情報送信装置である。
請求項１に記載の情報送信装置では、送信先情報を含む会員情報を記憶する会員識別情報テーブルと、認識情報属性情報を送信先抽出条件情報に対応させて記憶する認識情報テーブルを設けている。そして、入力された送信先抽出条件情報に対応する認識情報属性情報を判別するととともに、入力された送信先抽出先条件情報に基づいて送信先情報を判別し、判別した認識情報属性情報を有する認識情報を、入力された送信情報とともに、判別した送信先情報で示されている端末装置に送信する。このように、認識情報属性情報を送信先抽出条件情報に対応させて記憶している認識情報テーブルを設けているため、送信情報を送信する場合には、送信情報と送信先抽出条件情報を入力するだけでよく、認識情報属性情報を入力する必要がない。これにより、送信情報を送信するための作業負担を軽減することができる。
また、本発明の第２発明は、請求項２に記載されたとおりの情報送信装置である。
請求項２に記載の情報送信装置では、送信先情報を含む会員情報を記憶する会員情報テーブルと、送信先抽出条件情報を送信情報に対応させて記憶する認識情報テーブルと、認識情報属性情報を送信先抽出条件情報に対応させて記憶する認識情報テーブルを設けている。そして、送信情報を送信する場合には、当該送信情報に対応する送信先抽出条件情報を判別し、判別した送信先抽出条件情報に対応する認識情報属性情報を判別するとともに、判別した送信先抽出条件情報に基づいて送信先情報を判別し、判別した認識情報属性情報を有する認識情報を、送信情報とともに、判別した送信先情報で示されている端末装置に送信する。このように、認識情報属性情報を送信先抽出条件情報に対応させて記憶している認識情報テーブルを設けているため、送信情報を送信する場合（送信情報を送信するために送信情報を作成する場合）には、送信情報テーブルに送信情報と送信先抽出条件情報を記憶させるだけでよく、認識情報属性情報を入力する必要がない。これにより、送信情報を送信するための作業負担を軽減することができる。
また、本発明の第３発明は、請求項３に記載されたとおりの情報送信装置である。
請求項３に記載の情報送信装置では、送信情報に対応する送信先抽出条件情報が記憶されていない場合、あるいは、送信先抽出条件情報に対応する認識情報属性情報が記憶されていない場合には、認識情報を送信しない。これにより、送信先抽出条件情報や認識情報属性情報を個別に変更することができるため、種々の送信情報を管理することができる。
また、本発明の第４発明は、請求項４に記載されたとおりの情報送信装置である。
請求項４に記載の情報送信装置では、送信先情報を含む会員情報を記憶する会員情報テーブルと、認識情報属性情報をカテゴリ情報に対応させて記憶する認識情報テーブルを設けている。そして、入力されたカテゴリ情報に対応する認識情報属性情報を判別し、判別した認識情報属性情報を有する認識情報を、入力された送信情報とともに、会員情報テーブルに記憶されている各会員の送信先情報で示されている端末装置に送信する。このように、認識情報属性情報をカテゴリ情報に対応させて記憶している認識情報テーブルを設けているため、送信情報を送信する場合には、送信情報とカテゴリ情報を入力するだけでよく、認識情報属性情報を入力する必要がない。これにより、送信情報を送信するための作業負担を軽減することができる。
また、本発明の第５発明は、請求項５に記載されたとおりの情報送信装置である。
請求項５に記載の情報送信装置では、送信先情報を含む会員情報を記憶する会員情報テーブルと、カテゴリ情報を送信情報に対応させて記憶する送信情報テーブルと、認識情報属性情報をカテゴリ情報に対応させて記憶する認識情報テーブルを設けている。そして、送信情報を送信する場合には、送信情報に対応するカテゴリ情報を判別するとともに、判別したカテゴリ情報に対応する認識情報属性情報を判別し、判別した認識情報属性情報を有する認識情報を、送信情報とともに、会員情報テーブルに記憶されている送信先情報で示されている端末装置に送信する。このように、認識情報属性情報をカテゴリ情報に対応させて記憶する認識情報テーブルを設けているため、送信情報を送信する場合（送信情報を送信するために送信情報を作成する場合）には、送信情報テーブルに送信情報とカテゴリ情報を記憶させるだけでよく、認識情報属性情報を入力する必要がない。これにより、送信情報を送信するための作業負担を軽減することができる。
また、本発明の第６発明は、請求項６に記載されたとおりの情報送信装置である。
請求項６に記載の情報送信装置では、送信情報に対応するカテゴリ情報が記憶されていない場合、あるいは、カテゴリ情報に対応する認識情報属性情報が記憶されていない場合には、認識情報を送信しない。これにより、カテゴリ情報や認識情報属性情報を個別に変更することができるため、カテゴリ情報や認識情報属性情報を変更する作業が容易である。また、カテゴリ情報に対応する認識情報属性情報が記憶されていない場合には認識情報の送信を行わないため、種々の送信情報を管理することができる。
また、本発明の第７発明は、請求項７に記載されたとおりの情報送信装置である。
請求項７に記載の情報送信装置では、記憶装置には、送信先情報で示されている端末装置が認識情報の受信が可能であるか否かを示す受信可否情報が記憶されているとともに、認識情報属性テーブルに記憶されている認識情報属性情報を有する認識情報を保存しているＷｅｂページのアドレスを記憶するＷｅｂページテーブルが設けられている。そして、送信先情報で示されている端末装置に対応する受信可否情報が認識情報の受信可否を示している場合には、判別した認識情報属性情報を有する認識情報を保存しているＷｅｂページのアドレスを送信情報とともに送信する。これにより、例えば、二次元コード等で作成された認識情報をメールで送信することができない端末装置に対しても認識情報を送信することができる。
なお、例えば、送信先情報としてドメイン名を含むメールアドレスが設定されている場合には、ドメイン名によって通信事業者を判別することができる。通常、携帯電話等の端末装置が、例えば、二次元コード等によって作成された認識情報を受信可能であるか否かは、その端末装置の通信を管理している通信事業者によって判別することができる。したがって、本発明の受信可否情報には送信先情報が含まれる。すなわち、送信先情報に基づいて、当該送信先情報で示されている端末装置が、認識情報を受信可能であるか否かを判別することができる。
また、本発明の第８発明は、請求項８に記載されたとおりの情報送信装置である。
請求項８に記載の情報送信装置では、判別した認識情報属性情報で示されている認識情報属性及び会員識別情報を有する認識情報を端末装置に送信する。これにより、例えば、端末装置の表示部に表示されている認識情報を店舗等に設けられている認識情報読取装置で読み取ることによって、会員識別情報も読み取ることができるため、会員識別情報の入力作業が不要となる。
また、本発明の第９発明は、請求項９に記載されたとおりの情報送信装置である。
請求項９に記載の情報送信装置では、記憶装置には、送信先情報で示されている端末装置の受信可否情報が記憶されているとともに、認識情報テーブルに記憶されている認識情報属性情報と、受信可否情報が認識情報の受信不可を示している端末装置が送信先情報として設定されている会員の会員識別情報とを有する認識情報を保存しているＷｅｂページのアドレスを記憶するＷｅｂページテーブルが設けられている。そして、送信先情報で示されている送信先の受信可否情報が認識情報の受信不可を示している場合には、判別した認識情報属性情報と、送信先情報で示されている端末装置に対応する会員の会員識別情報とを有する認識情報を保存しているＷｅｂページのアドレスを送信情報とともに送信する。これにより、例えば、二次元コード等で作成された認識情報をメールで受信することができない端末装置にも認識情報を送信することができる。
また、本発明の第１０発明は、請求項１０に記載されたとおりの情報送信装置である。
請求項１０に記載の情報送信装置では、認識情報が二次元コードで作成されている。これにより、認識情報に多量の情報を含ませることができる。
また、本発明の第１１発明は、請求項１１に記載されたとおりの情報送信装置である。
請求項１１に記載の情報送信装置では、送信情報を送信する際に認識情報を作成している。これにより、認識情報を記憶装置に記憶させる必要がなくなるため、記憶装置の容量を低減することができる。
また、本発明の第１２発明は、請求項１２に記載されたとおりの情報送信装置である。
請求項１２に記載の情報送信装置では、認識情報属性情報として認識情報の有効期限、ポイントの値及び認識情報の上限利用回数の少なくとも１つを示す認識情報属性情報が用いられている。例えば、携帯電話等の端末装置にキャンペーンの実施等を知らせるメール（送信情報）とともに二次元コード（認識情報）を送信し、店舗等に設けられている二次元コード読取装置（認識情報読取装置）によって端末装置の表示手段に表示されている二次元コード（認識情報）を読み取り、店舗装置や管理装置等により所定のサービス（例えば、所定数のポイントを加算するサービス）を行う場合がある。このようなサービスを行う場合、認識情報の有効期限、加算するポイント数、認識情報の上限利用回数等の認識情報属性情報に基づいて、読み取った二次元コード（認識情報）に対応するキャンペーンのサービスを実行するか否か、また、どのようなサービスを行うかを判別する必要がある。本発明では、携帯電話（端末装置）の表示手段に表示されている二次元コード（認識情報）を二次元コード読取装置（認識情報読取装置）で読み取ることによって、認識情報の有効情報、ポイントの値及び認識情報の上限利用回数の少なくとも１つを示す認識情報属性情報を判別することができるため、サービスを実行するか否か、どのようなサービスを実行するか等を容易に判別することができる。
また、本発明の第１３発明は、請求項１３に記載されたとおりの情報送信装置である。
請求項１３に記載の情報送信装置では、認識情報属性情報として認識情報を示す認識情報識別情報が用いられているとともに、記憶装置には、認識情報の有効性を判別するための有効性判別条件を示す有効性判別条件情報が認識情報識別情報に対応させて記憶されており、管理装置は、二次元コード読取装置等の認識情報読取装置で読み取った、端末装置の表示手段に表示されている認識情報に含まれている認識情報識別情報に対応する有効性判別条件情報で示されている有効性判別条件に基づいて、読み取った認識情報の有効性を判別する。これにより、管理装置側で、認識情報の有効性を判別するための、有効期限や上限利用回数等の有効性判別条件情報を変更することができる。このため、認識情報を端末装置に送信した後でも、認識情報を再送することなく、認識情報の有効性判別条件を変更することができる。
【手続補正３】
【補正対象書類名】明細書
【補正対象項目名】００３５
【補正方法】変更
【補正の内容】
【００３５】
【発明の効果】
以上説明したように、請求項１〜１３に記載の情報送信装置を用いれば、送信情報を送信するための作業負担を軽減することができる。